(57)【要約】【課題】フックの安全性は従前どおり確保したままで、安価に製造できるフックを提供する。【解決手段】フック本体１の基部１ａ付近の内側側縁に切欠き８を設ける一方、ロック部材４にこの切欠きに係合し得る当接部４ｅを設け、ストッパ２が閉位置をとりかつロック部材の当接部がフック本体の切欠きに係合するようにバネで弾性付勢することで、常時は、ストッパが閉位置にロックされるようにし、そして、ハンドル９をフック本体に向けて旋回させることにより、ロック部材をハンドルのロック部材案内面９ｄによってストッパに向けて押し、当接部を切欠きから離間させてロック部材によるロックを解除し、さらに、ストッパをフック本体に向けて旋回させることで、ストッパが開位置をとる。【選択図】図２
2014217519.tif 000002
【特許請求の範囲】
【請求項１】
高所作業現場において使用される高所作業用安全帯の命綱の先端に備えられ、前記命綱を前記高所作業現場の固定用構造物に係止するためのフックであって、
鉤状のフック本体と、
レバー形状をなし、一端を第１のピンによって前記フック本体の基部に取り付けられて前記第１のピンのまわりに旋回可能とされ、前記フック本体の基部および先端間を閉じる閉位置と、前記閉位置から前記フック本体の内側に押し込まれて前記フック本体の基部および先端間を開く開位置をとるストッパと、
前記フック本体の基部付近において、一端を第２のピンによって前記ストッパに取り付けられて前記第２のピンのまわりに旋回可能とされ、他端が前記フック本体に向かってのびるロック部材と、を備え、
前記フック本体の基部付近の内側側縁には、切欠きが設けられる一方、前記ロック部材には、前記切欠きに係合し得る当接部が設けられ、前記ロック部材の当接部が前記フック本体の切欠きに係合することによって、前記ロック部材の前記ストッパから遠ざかる向きへの旋回が規制されるようになっており、さらに、
前記第２のピンに取り付けられるとともに、前記ストッパおよび前記ロック部材に作用し、常時、前記ストッパが前記閉位置をとり、かつ前記ロック部材の当接部が前記フック本体の切欠きに係合するように弾性付勢することで、前記ストッパが前記ロック部材によって前記閉位置にロックされるようにするバネと、
レバー形状をなし、前記フック本体の一部および前記ロック部材の一部と重なり合った状態で、一端を第３のピンによって前記フック本体の中間部に取り付けられて前記第３のピンのまわりに旋回可能とされ、他端が前記フック本体の基部までのびるハンドルと、を備え、
前記ロック部材の当接部が前記フック本体の切欠きに係合した状態で、前記ロック部材の他端は前記フック本体を越えてのび、前記ハンドルは、前記ロック部材の他端における前記ストッパから遠ざかる側の側縁に当接するロック部材案内面を備えており、
前記ハンドルが前記フック本体に向けて旋回せしめられるとき、前記ロック部材が前記ロック部材案内面によって前記ストッパに向けて押されて前記当接部が前記切欠きから離間することで、前記ロック部材によるロックが解除され、さらに、前記ストッパが前記フック本体に向けて旋回せしめられることで前記ストッパが前記開位置をとるものであることを特徴とするフック。
【請求項２】
前記ストッパは、板体を折り曲げて断面をコ字状としたものからなり、前記フック本体の基部に外側から嵌め込まれた状態で、前記第１のピンによって前記基部に取り付けられ、
前記ロック部材は、互いに平行な細長い一対の側壁と、前記一対の側壁の中間部において前記一対の側壁の一側同士を接続する連結壁とからなり、前記ロック部材の前記一端が前記ストッパの内側に嵌め込まれる一方、前記ロック部材の前記他端側において、前記連結壁の内面が前記フック本体に対向し、かつ前記ロック部材の前記一対の側壁間に前記フック本体が挿入された状態で、前記第２のピンによって前記ストッパに取り付けられ、前記ロック部材の前記連結壁における、前記ロック部材の前記他端側の端縁が前記当接部を形成し、
前記ハンドルは、板体を折り曲げて断面をコ字状としたものからなり、互いに平行な一対の側壁と、当該一対の側壁の一側同士を接続する連結壁とを有し、前記ハンドルの前記一対の側壁間に前記フック本体の一部および前記ロック部材の一部が挿入され、かつ前記ハンドルの前記連結壁の内面が前記ストッパに対向した状態で、前記第３のピンによって前記フック本体の中間部に取り付けられ、前記ハンドルの前記連結壁の内面が前記ロック部材案内面を形成していることを特徴とする請求項１に記載のフック。
【発明の詳細な説明】
【技術分野】
【０００１】
本発明は、建築現場等の高所作業現場において使用される高所作業用安全帯、特に、その命綱の先端に備えられ、命綱を高所作業現場の固定用構造物に係止するために使用されるフックに関するものである。
【背景技術】
【０００２】
従来のこの種のフックとして、例えば、特許文献１に記載されたようなものがある。
図４は、この従来のフックの平面図であり、（Ａ）はフックのストッパが閉位置にある状態を示し、（Ｂ）はフックのストッパが開位置にある状態を示している。
図４に示すように、このフックは、鉤状の本体２０を有し、本体２０の基部２０ａに形成された命綱連結孔２９に、高所作業用安全帯に備えられた命綱の先端が連結されるようになっている。
【０００３】
本体２０の基部２０ａには、また、断面がコ字状のレバー形状をなすストッパ２１が、本体２０の基部２０に外側から嵌め込まれた状態で、一端２１ａを第１のピン２２によって取り付けられて第１のピン２２のまわりに旋回可能とされ、そして、ストッパ２１は、本体２０の基部２０ａおよび先端２０ｂ間を閉じる閉位置（図４（Ａ）参照）と、閉位置から本体２０の内側に押し込まれて本体２０の基部２０ａおよび先端２０ｂ間を開く開位置（図４（Ｂ）参照）をとるようになっている。
【０００４】
また、本体２０の基部２０ａ付近には、ロック部材２３が取り付けられている。ロック部材２３は、コ字状の断面を有し、一端がストッパ２１の内側に嵌め込まれる一方、他端が本体２０に外側から嵌め込まれた状態で、その一端を第２のピン２４によってストッパ２１に取り付けられて第２のピン２４のまわりに旋回可能になっている。
【０００５】
ロック部材２３の互いに対向する側壁の他端側には、ロック部材２３の長さ方向にのびる第１スリット部分と、第１スリット部分からロック部材２３の幅方向にストッパ２１の先端２１ｂに近づく向きにのびる第２スリット部分とからなるほぼＬ字状のスリット２５が設けられている。さらに、本体２０の基部２０ａ付近には第３のピン２６が取り付けられ、スリット２５内に挿入されている。
【０００６】
図示はしないが、第２のピン２４には、バネが取り付けられ、ストッパ２１およびロック部材２３に作用し、ストッパ２１を閉位置に向けて弾性付勢する一方、ロック部材２３を第３のピン２６がスリット２５の第２スリット部分に位置するように弾性付勢し、それによって、ストッパ２１は、常時、ロック部材２３によって閉位置にロックされるようになっている。
【０００７】
また、断面がコ字状のハンドル２７が、その内側空間に本体２０の一部、ロック部材２３の一部および第３のピン２６が挿入された状態で、一端２７ａを第４のピン２８によって本体２０の中間部に取り付けられて第４のピン２８のまわりに旋回可能になっている。
さらに、図示はしないが、ハンドル２７の内側面には、ロック部材２３のストッパ２１から遠ざかる側の側縁に当接する隆起が設けられている。
【０００８】
そして、ハンドル２７が本体２０に向けて旋回せしめられると、ロック部材２３がハンドル２７の隆起によってストッパ２１に向けて押されて第３のピン２３がスリット２５の第２のスリット部分から第１のスリット部分に進入し、ロック部材２３によるロックが解除され、さらに、第３のピン２３が第１のスリット部分の範囲内を移動しつつ、ストッパ２１が本体２０に向けて旋回せしめられることでストッパ２１が開位置をとる。
開位置において、本体２０が高所作業現場の固定用構造物に引っ掛けられ、その後、ハンドル２７が開放される。それによって、ハンドル２７は閉位置に戻り、ロック部材２３によってロックされ、フックが固定用構造物に係止される。
【０００９】
しかしながら、この構成によれば、ロック部材２３の側壁にスリット２５を設けるとともに、本体２０に取り付けた第３のピン２３をスリット２５内に挿入し、さらには、ハンドル２７の内面に隆起を設ける等することで、フックの構造が複雑となり、フックの製造コストが高くつくという問題があった。
【先行技術文献】
【特許文献】
【００１０】
【特許文献１】特許第３２８７９１８号公報
【発明の概要】
【発明が解決しようとする課題】
【００１１】
したがって、本発明の課題は、フックの安全性は従前どおり確保したままで、安価に製造できるフックを提供することにある。
【課題を解決するための手段】
【００１２】
上記課題を解決するため、本発明は、高所作業現場において使用される高所作業用安全帯の命綱の先端に備えられ、前記命綱を前記高所作業現場の固定用構造物に係止するためのフックであって、鉤状のフック本体と、レバー形状をなし、一端を第１のピンによって前記フック本体の基部に取り付けられて前記第１のピンのまわりに旋回可能とされ、前記フック本体の基部および先端間を閉じる閉位置と、前記閉位置から前記フック本体の内側に押し込まれて前記フック本体の基部および先端間を開く開位置をとるストッパと、前記フック本体の基部付近において、一端を第２のピンによって前記ストッパに取り付けられて前記第２のピンのまわりに旋回可能とされ、他端が前記フック本体に向かってのびるロック部材と、を備え、前記フック本体の基部付近の内側側縁には、切欠きが設けられる一方、前記ロック部材には、前記切欠きに係合し得る当接部が設けられ、前記ロック部材の当接部が前記フック本体の切欠きに係合することによって、前記ロック部材の前記ストッパから遠ざかる向きへの旋回が規制されるようになっており、さらに、前記第２のピンに取り付けられるとともに、前記ストッパおよび前記ロック部材に作用し、常時、前記ストッパが前記閉位置をとり、かつ前記ロック部材の当接部が前記フック本体の切欠きに係合するように弾性付勢することで、前記ストッパが前記ロック部材によって前記閉位置にロックされるようにするバネと、レバー形状をなし、前記フック本体の一部および前記ロック部材の一部と重なり合った状態で、一端を第３のピンによって前記フック本体の中間部に取り付けられて前記第３のピンのまわりに旋回可能とされ、他端が前記フック本体の基部までのびるハンドルと、を備え、前記ロック部材の当接部が前記フック本体の切欠きに係合した状態で、前記ロック部材の他端は前記フック本体を越えてのび、前記ハンドルは、前記ロック部材の他端における前記ストッパから遠ざかる側の側縁に当接するロック部材案内面を備えており、前記ハンドルが前記フック本体に向けて旋回せしめられるとき、前記ロック部材が前記ロック部材案内面によって前記ストッパに向けて押されて前記当接部が前記切欠きから離間することで、前記ロック部材によるロックが解除され、さらに、前記ストッパが前記フック本体に向けて旋回せしめられることで前記ストッパが前記開位置をとるものであることを特徴とするフックを構成したものである。
【００１３】
上記構成において、好ましくは、前記ストッパは、板体を折り曲げて断面をコ字状としたものからなり、前記フック本体の基部に外側から嵌め込まれた状態で、前記第１のピンによって前記基部に取り付けられ、前記ロック部材は、互いに平行な細長い一対の側壁と、前記一対の側壁の中間部において前記一対の側壁の一側同士を接続する連結壁とからなり、前記ロック部材の前記一端が前記ストッパの内側に嵌め込まれる一方、前記ロック部材の前記他端側において、前記連結壁の内面が前記フック本体に対向し、かつ前記ロック部材の前記一対の側壁間に前記フック本体が挿入された状態で、前記第２のピンによって前記ストッパに取り付けられ、前記ロック部材の前記連結壁における、前記ロック部材の前記他端側の端縁が前記当接部を形成し、前記ハンドルは、板体を折り曲げて断面をコ字状としたものからなり、互いに平行な一対の側壁と、当該一対の側壁の一側同士を接続する連結壁とを有し、前記ハンドルの前記一対の側壁間に前記フック本体の一部および前記ロック部材の一部が挿入され、かつ前記ハンドルの前記連結壁の内面が前記ストッパに対向した状態で、前記第３のピンによって前記フック本体の中間部に取り付けられ、前記ハンドルの前記連結壁の内面が前記ロック部材案内面を形成している。
【発明の効果】
【００１４】
本発明によれば、フック本体の基部付近の内側側縁に切欠きを設ける一方、ロック部材にこの切欠きに係合し得る当接部を設け、ストッパが閉位置をとりかつロック部材の当接部がフック本体の切欠きに係合するようにバネで弾性付勢することで、常時は、ストッパが閉位置にロックされるようにし、そして、ハンドルをフック本体に向けて旋回させることにより、ロック部材をハンドルのロック部材案内面によってストッパに向けて押し、当接部を切欠きから離間させてロック部材によるロックを解除し、さらに、ストッパをフック本体に向けて旋回させることで、ストッパが開位置をとるようにしている。
【００１５】
そして、本発明によれば、フックを一旦高所作業現場の固定用構造物に係合させると、ハンドルによってロック部材によるロックを解除しない限り、フックが固定用構造物から外れることがなく、安全が確保され、同時に、フックの構成が従来品よりも簡単になるので、フックの製造コストを大幅に削減することができる。
【図面の簡単な説明】
【００１６】
【図１】本発明の１実施例による高所作業用安全帯のフックの分解斜視図である。
【図２】（Ａ）は、図１に示したフックのストッパがロック部材によって閉位置にロックされた状態を示す平面図であり、（Ｂ）は（Ａ）においてストッパおよびハンドルの側壁を透視した状態を示す図である。
【図３】（Ａ）は、図１に示したフックのロック部材によるロックが解除された状態を示す図２（Ｂ）に類似の平面図であり、（Ｂ）は、図１に示したフックのストッパが開位置にある状態を示す図２（Ｂ）に類似の図である。
【図４】高所作業用安全帯のフックの従来例を示す図であり、（Ａ）はストッパが閉位置にある状態を示す平面図であり、（Ｂ）はストッパが開位置にある状態を示す平面図である。
【図５】高所作業用安全帯のフックの変形例を示す図であり、（Ａ）はフックの斜視図であり、（Ｂ）は（Ａ）に示したフックのストッパが閉位置にある状態を示す平面図である。
【図６】（Ａ）は、図５（Ａ）に示したフックのロック部材によるロックが解除された状態を示す図５（Ｂ）に類似の平面図であり、（Ｂ）は、フックのストッパが開位置にある状態を示す（Ａ）に類似の平面図である。
【発明を実施するための形態】
【００１７】
以下、本発明の好ましい実施例を図面を参照しつつ説明する。図１は、本発明の１実施例による高所作業用安全帯のフックの分解斜視図であり、図２（Ａ）は、図１のフックのストッパがロック部材によって閉位置にロックされた状態を示す平面図であり、図２（Ｂ）は、図１（Ａ）においてストッパおよびハンドルの側壁を透視した状態を示す図である。また、図３（Ａ）は、図１のフックのロック部材によるロックがい解除された状態を示す図２（Ｂ）に類似の図であり、図３（Ｂ）は、図１のフックのストッパが開位置にある状態を示す図２（Ｂ）に類似の図である。
【００１８】
図１〜図３を参照して、本発明による高所作業用安全帯のフックは、金属板から形成された鉤状のフック本体１を備えており、フック本体１の基部１ａに形成された命綱連結孔１１に、高所作業用安全帯に備えられた命綱の先端が連結されるようになっている。
フック本体１の基部１ａには、レバー形状をなすストッパ２が取り付けられている。ストッパ２は、金属板を折り曲げて断面をコ字状にしたものからなり、フック本体１の基部１ａに外側から嵌め込まれた状態で、その一端２ａを第１のピン３によって基部１ａに取り付けられて第１のピン３のまわりに旋回可能になっている。そして、ストッパ２は、フック本体１の基部１ａおよび先端１ｂ間を閉じる閉位置（図２参照）と、閉位置からフック本体１の内側に押し込まれてフック本体１の基部１ａおよび先端１ｂ間を開く開位置（図３（Ｂ）参照）をとる。図２から明らかなように、閉位置では、フック本体１の先端１ｂは、ストッパ２の他端（先端）２ｂの互いに対向する側壁間に挿入されるようになっている。
【００１９】
また、フック本体１の基部１ａ付近には、ロック部材４が取り付けられている。ロック部材４は、金属製であり、互いに平行な細長い一対の側壁４ｃと、一対の側壁４ｃの中間部において一対の側壁４ｃの一側同士を接続する連結壁４ｄとからなっている。
そして、ロック部材４は、一端４ａがストッパ２の内側に嵌め込まれる一方、他端４ｂ側において、連結壁４ｄの内面がフック本体１に対向し、かつ一対の側壁４ｃ間にフック本体１が挿入された状態で、一端４ａを第２のピン５によってストッパ２に取り付けられて第２のピン５のまわりに旋回可能になっている。
【００２０】
また、フック本体１の基部１ａ付近の内側側縁には切欠き８が設けられている。そして、ロック部材４の連結壁４ｄの前記ストッパ２から遠ざかる側の端縁４ｅは、この切欠き８に係合することによって、ロック部材４のストッパ２から遠ざかる向きへの旋回を規制する当接部として機能する。
さらに、連結壁４ｄの端縁（当接部）４ｅと反対側の端縁には、平坦なバネ保持壁４ｆが接続されて、連結壁４ｄから一定の角度をなして一対の側壁４ｃ間の間隙中にのびている。
【００２１】
第２のピン５におけるロック部材４の一対の側壁４ｃ間にのびる部分には、円筒状のスペーサ６が第２のピン５のまわりに回転自在に挿入されており、このスペーサ６の外側には、つるまきバネ７が嵌め込まれている。つるまきバネ７は、両端部がバネ本体から一定の角度をなしてのびる直線状部分７ａ、７ｂとして形成されている。
【００２２】
そして、つるまきバネ７は、スペーサ６に嵌め込まれた状態で、一方の直線状部分７ａが、ストッパ２の互いに対向する側壁を接続する連結壁の内面に当接する一方、他方の直線状部分７ｂが、ロック部材４のバネ保持壁４ｆに当接することによって、常時、ストッパ２が閉位置をとり、かつロック部材４の当接部４ｅがフック本体の切欠き８に係合するように弾性付勢する。
それによって、ストッパ２は、ロック部材４によって閉位置にロックされる。このロック状態において、ロック部材４の他端４ｂは、フック本体１を越えて外側にのびている。
【００２３】
さらに、レバー形状をなすハンドル９が、フック本体１の中間部に取り付けられている。ハンドル９は、金属板を折り曲げて断面をコ字状としたものからなり、互いに平行な一対の側壁９ｃと、一対の側壁９ｃの一側同士を接続する連結壁９ｄとからなっている。
そして、ハンドル９の一対の側壁９ｃ間にフック本体１の一部およびロック部材４の一部が挿入され、かつ連結壁９ｄの内面がストッパに対向した状態で、ハンドル９は、一端９ａを第３のピン１０によってフック本体１に取り付けられて第３のピン１０のまわりに旋回可能になっており、他端（先端）９ｂがフック本体１の基部１ａまでのびている。
【００２４】
ハンドル９の連結壁９ｄの内面は、ストッパ２がロック部材４によって閉位置にロックうされた状態で、ロック部材４のフック本体１を越えてのびる部分の、ストッパ２から遠ざかる側の側縁に当接し、ロック部材案内面として機能する。
【００２５】
そして、ハンドル９およびストッパ２が使用者の手で握られた状態で、ハンドル９がフック本体１に向けて旋回せしめられると、ロック部材４がハンドル９の内面（ロック部材案内面）９ｄによってストッパ２に向けて押され、ロック部材４の当接部４ｅがフック本体１の切欠き８から離間することで、ロック部材４によるロックが解除され（図３（Ａ）参照）、さらに、ストッパ２がフック本体１に向けて旋回せしめられることでストッパ２が開位置をとる（図３（Ｂ）参照）。
開位置において、フック本体１が高所作業現場の固定用構造物に引っ掛けられ、その後、ストッパ２およびハンドル９が開放される。それによって、ストッパ２が閉位置に戻り、ロック部材４によってロックされ、フックが固定用構造物に係止される。
【００２６】
こうして、本発明によれば、フックを一旦高所作業現場の固定用構造物に係合させると、ハンドル９によってロック部材４によるロックを解除しない限り、フックが固定用構造物から外れることがないので、作業員の安全が確保され、同時に、フックの構成が従来品よりも簡単になるので、フックの製造コストを大幅に削減することができる。
【００２７】
以上、本発明の構成を好ましい１実施例に基づいて説明したが、本発明の構成は上記実施例に限定されるものではなく、特許請求の範囲に記載した構成の範囲内において種々の変形例を案出することができることは言うまでもない。
例えば、上記実施例では、ストッパ、ロック部材およびハンドルを、いずれも断面がコ字状の部材としてフックを構成したが、ストッパ、ロック部材およびハンドルをすべて平坦な板状の部材としてフックを構成することもできる。
【００２８】
本発明ではハンドルをロック部材と別個の部材としているが、ハンドルをロック部材に一体化すること、すなわち、ロック部材をハンドルに兼用することもできる。
図５および図６は、このような構成を備えた高所作業用安全帯のフックを示す図であり、図５（Ａ）はフックの斜視図であり、図５（Ｂ）は図５（Ａ）に示したフックのストッパが閉位置にある状態を示す平面図であり、図６（Ａ）は、図５（Ａ）に示したフックのロック部材によるロックが解除された状態を示す図５（Ｂ）に類似の平面図であり、図６（Ｂ）は、図５（Ａ）に示したフックのストッパが開位置にある状態を示す図５（Ｂ）に類似の平面図である。
【００２９】
図５および図６に示した実施例は、図１〜図４に示した実施例と、ハンドルを備えていない点、およびロック部材が異なる構成を有する点が異なるだけである。よって、図５および図６中、図１〜図４に示した構成要素と同じ構成要素には、図１〜図４で使用したものと同一の参照番号を付して、以下、それらの詳細な説明を省略する。
【００３０】
図５および図６の実施例では、ロック部材４’は、図１〜図４に示した実施例と同様、金属製であり、互いに平行な細長い一対の側壁４ｃ’と、一対の側壁４ｃ’の中間部において一対の側壁４ｃ’の一側同士を接続する連結壁４ｄ’とからなっている。
そして、ロック部材４’は、一端４ａ’がストッパ２の内側に嵌め込まれる一方、他端４ｂ’側において、連結壁４ｄ’の内面がフック本体１に対向し、かつ一対の側壁４ｃ’間にフック本体１が挿入された状態で、一端４ａ’を第２のピン５によってストッパ２に取り付けられて第２のピン５のまわりに旋回可能になっている。
【００３１】
また、フック本体１の基部１ａ付近の内側側縁には切欠き８が設けられている。そして、ロック部材４’の連結壁４ｄ’のストッパ２から遠ざかる側の端縁４ｅ’は、この切欠き８に係合することによって、ロック部材４’のストッパ２から遠ざかる向きへの旋回を規制する当接部として機能する。
さらに、連結壁４ｄ’の端縁（当接部）４ｅ’と反対側の端縁には、平坦なバネ保持壁４ｆ’が接続されて、連結壁４ｄ’から一定の角度をなして一対の側壁４ｃ’間の間隙中にのびている。
【００３２】
そして、図１〜図４に示した実施例と同様、第２のピン５には、円筒状のスペーサが第２のピン５のまわりに回転自在に挿入されており、このスペーサの外側には、つるまきバネが嵌め込まれている。つるまきバネは、スペーサに嵌め込まれた状態で、一端部が、ストッパ２の互いに対向する側壁を接続する連結壁の内面に当接する一方、他端部が、ロック部材４’のバネ保持壁４ｆ’に当接することによって、常時、ストッパ２が閉位置をとり、かつロック部材４’の当接部４ｅ’がフック本体１の切欠き８に係合するように弾性付勢する。それによって、ストッパ２は、ロック部材４’によって閉位置にロックされる。
【００３３】
ロック部材４’は、また、ストッパ２を閉位置にロックした状態で（図５（Ｂ）参照）、他端４ｂ’がフック本体１を越えて外側にのびている。ロック部材４’の他端４ｂ’は適度に丸みを帯びていて、フックの着脱時に、使用者がロック部材４’をストッパ２とともに握りやすいようになっている。
【００３４】
そして、ストッパ２およびロック部材４’の他端４ｂ’が使用者の手で握られた状態で、ロック部材４’がフック本体１に向けて少し旋回せしめられると、ロック部材４’の当接部４ｅ’がフック本体１の切欠き８から離間することで、ロック部材４’によるロックが解除され（図６（Ａ）参照）、さらに、ストッパ２がフック本体１に向けて旋回せしめられることでストッパ２が開位置をとる（図６（Ｂ）参照）。
開位置において、フック本体１が高所作業現場の固定用構造物に引っ掛けられ、その後、ストッパ２およびロック部材４’の他端４ｂ’が開放される。それによって、ストッパ２が閉位置に戻り、ロック部材４’によってロックされ、フックが固定用構造物に係止される。
【符号の説明】
【００３５】
１  フック本体
１ａ  基部
１ｂ  先端
２  ストッパ
２ａ  一端
２ｂ  他端
３  第１のピン
４、４’  ロック部材
４ａ、４ａ’  一端
４ｂ、４ｂ’  他端
４ｃ、４ｃ’  側壁
４ｄ、４ｄ’  連結壁
４ｅ、４ｅ’  当接部
４ｆ、４ｆ’  バネ作用面
５  第２のピン
６  スペーサ
７  バネ
７ａ  一方の直線状部分
７ｂ  他方の直線状部分
８  切欠き
９  ハンドル
９ａ  一端
９ｂ  他端
９ｃ  側壁
９ｄ  連結壁
１０  第３のピン
１１  命綱連結孔
２０  本体
２０ａ  基部
２０ｂ  先端
２１  ストッパ
２１ａ  一端
２１ｂ  他端
２２  第１のピン
２３  ロック部材
２４  第２のピン
２５  スリット
２６  第３のピン
２７  ハンドル
２７ａ  一端
２７ｂ  他端
２８  第４のピン
２９  命綱連結孔
【図１】
2014217519.tif 000003
【図２】
2014217519.tif 000004
【図３】
2014217519.tif 000005
【図４】
2014217519.tif 000006
【図５】
2014217519.tif 000007
【図６】
2014217519.tif 000008